(57)【要約】      （修正有）【課題】画像形成装置から表示対象となる画像を取得し、取得した画像を任意の表示装置に表示させる情報処理装置を提供する。【解決手段】情報端末の全体制御部６０２は、画像データを取得する画像取得手段（画像形成装置）を用いて、表示対象となる画像データを複数の異なるデータ形式で取得する取得制御手段７０２と、画像を表示する表示手段（表示装置）に応じて、取得した複数の異なるデータ形式の画像データの中から表示手段に表示させる画像データを決定する決定手段７０７と、を有する。【選択図】図７
2016174198.tif 000002
【特許請求の範囲】
【請求項１】
画像データを取得する画像取得手段により、表示対象となる画像データを複数の異なるデータ形式で取得する取得制御手段と、
画像を表示させる表示手段に応じて、前記取得した複数の異なるデータ形式の画像データの中から前記表示手段に表示させる一の画像データを決定する決定手段と、
を有する情報処理装置。
【請求項２】
前記画像取得手段は、画像形成装置であって、
前記取得制御手段は、
前記画像形成装置に前記複数の異なるデータ形式で前記表示対象の画像データの取得を要求する請求項１に記載の情報処理装置。
【請求項３】
前記表示手段は、画像投影装置であって、
前記情報処理装置は、
利用者から前記画像投影装置に投影させる投影画像の取得要求を受付ける受付手段を有し、
前記取得制御手段は、
前記投影画像の取得要求を受付けた場合、前記表示対象となる画像データを前記複数の異なるデータ形式で取得する請求項１又は２に記載の情報処理装置。
【請求項４】
前記取得制御手段が取得した画像データに含まれる文字の大きさに係る情報を解析する画像解析手段を有し、
前記取得制御手段は、
前記画像取得手段により、前記表示対象となる画像データを所定のデータ形式で取得し、
前記取得した所定のデータ形式の画像データに含まれる前記文字の大きさに係る情報に基づいて、前記表示対象となる画像データを前記複数の異なるデータ形式で取得するか否かを判断する請求項１又は２に記載の情報処理装置。
【請求項５】
前記複数の異なるデータ形式で取得した画像データの各々に優先順位を付与する優先順位付与手段を有し、
前記優先順位付与手段は、
前記複数の異なるデータ形式で取得した画像データの画像フォーマット情報、解像度情報、色深度情報、カラー／白黒情報、及びデータサイズ情報のうちの少なくとも１つに基づいて前記優先順位を付与する請求項１乃至４のいずれか一項に記載の情報処理装置。
【請求項６】
前記複数の異なるデータ形式で取得した画像データを１つのファイルに統合する統合手段を有する請求項１乃至５のいずれか一項に記載の情報処理装置。
【請求項７】
前記決定手段は、
前記複数の異なるデータ形式で取得した画像データを、前記表示手段が表示可能となるまで前記表示手段に順次に送信し、
前記表示手段が表示可能となった画像データを、前記表示手段に表示させる一の画像データとして決定する請求項１乃至６のいずれか一項に記載の情報処理装置。
【請求項８】
前記表示手段が表示可能なデータ形式に係る情報を取得する情報取得手段を有し、
前記決定手段は、
前記取得したデータ形式の情報に基づいて、前記取得した複数の異なるデータ形式の画像データのうち前記表示手段に表示させる一の画像データを決定する請求項１乃至６のいずれか一項に記載の情報処理装置。
【請求項９】
前記取得制御手段が取得した画像データの中に、前記表示手段が表示可能なデータ形式の画像データがない場合、前記取得制御手段が取得した画像データに基づいて前記表示手段が表示可能な一の画像データを生成する生成手段を有する請求項１乃至８のいずれか一項に記載の情報処理装置。
【請求項１０】
前記画像形成装置は、
前記情報処理装置から前記画像データの取得を要求された場合、前記要求が前記情報処理装置とは異なる装置に送信するための画像データの取得要求であるか否かを判断し、
前記要求が前記情報処理装置とは異なる装置に送信するための画像データの取得要求である場合、前記複数の異なるデータ形式の画像を形成して、前記形成された複数の異なるデータ形式の画像を前記情報処理装置に送信することを特徴とする請求項２に記載の情報処理装置。
【請求項１１】
画像データを取得する画像取得手段を用いて、表示対象となる画像データを複数の異なるデータ形式で取得する取得制御手段と、
画像を表示する表示手段に応じて、前記取得した複数の異なるデータ形式の画像データの中から前記表示手段に表示させる画像データを決定する決定手段と、
としてコンピュータを機能させるためのプログラム。
【請求項１２】
画像データを取得する画像取得手段を用いて、表示対象となる画像データを複数の異なるデータ形式で取得する取得制御手段と、
画像を表示する表示手段に応じて、前記取得した複数の異なるデータ形式の画像データの中から前記表示手段に表示させる画像データを決定する決定手段と、
を含む画像処理システム。
【発明の詳細な説明】
【技術分野】
【０００１】
本発明は、情報処理装置、画像処理システム、及びプログラムに関する。
【背景技術】
【０００２】
例えば、印刷、コピー、スキャン、ファクシミリ送信等の複数の機能を有するＭＦＰ（Multifunction Peripheral/Product）等の画像形成装置が知られている。また、画像形成装置が提供するＡＰＩ（Application Programming Interface）を用いて、スマートフォンや、タブレット端末等のスマートデバイスから画像形成装置の機能を利用する技術が知られている。これにより、例えば、スマートデバイス等の情報端末から、ＭＦＰ等の画像形成装置を用いて表示対象となる画像を取得し、取得した画像をプロジェクタ等の表示装置に表示させることができる。
【０００３】
また、複数のテレビ会議用端末装置が利用可能なフォーマットを予め記憶しておき、取得したデータを、出力先として受付けたテレビ会議用端末装置が利用可能なフォーマットに変換して出力するＭＦＰが知られている（例えば、特許文献１参照）。
【発明の概要】
【発明が解決しようとする課題】
【０００４】
例えば、スマートデバイス等の情報端末を用いて、ＭＦＰ等の画像形成装置で取得した画像をプロジェクタ等の表示装置に表示させる場合、表示装置によっては表示できないデータ形式の画像がある。このような場合、情報端末が、例えば、特許文献１に開示された技術のように、複数の表示装置が利用可能なデータ形式を予め記憶しておき、表示装置に応じて画像のデータ形式を変換することができる。しかし、この方法は、利用する表示装置を情報端末等に予め登録しておく必要があるので、情報端末に登録されていない表示装置を含む任意の表示装置に画像を表示させることは困難である。
【０００５】
本発明の実施の形態は、上記問題点に鑑みてなされたものであって、画像形成装置から表示対象となる画像を取得し、取得した画像を任意の表示装置に表示させることを容易にする情報処理装置を提供することを目的とする。
【課題を解決するための手段】
【０００６】
上記課題を解決するため、本発明の一実施形態に係る情報処理装置は、画像データを取得する画像取得手段により、表示対象となる画像データを複数の異なるデータ形式で取得する取得制御手段と、画像を表示させる表示手段に応じて、前記取得した複数の異なるデータ形式の画像データの中から前記表示手段に表示させる一の画像データを決定する決定手段と、を有する。
【発明の効果】
【０００７】
本発明の実施の形態によれば、画像形成装置から表示対象となる画像を取得し、取得した画像を任意の表示装置に表示させることを容易にする情報処理装置を提供することができる。
【図面の簡単な説明】
【０００８】
【図１】一実施形態に係る画像処理システムのシステム構成図である。
【図２】一実施形態に係る画像処理システムの構成の一例を示す図である。
【図３】一実施形態に係る情報端末のハードウェア構成例を示す図である。
【図４】一実施形態に係る画像形成装置のハードウェア構成例を示す図である。
【図５】一実施形態に係る表示装置の構成例を示す図である。
【図６】一実施形態に係る画像処理システムの機能構成図である。
【図７】一実施形態に係る情報端末の全体制御部の機能構成図である。
【図８】第１の実施形態に係る画像取得処理の流れを示すフローチャートである。
【図９】第１の実施形態に係るスキャン画面の例を示す図である。
【図１０】第１の実施形態に係る画像投影処理の流れを示すフローチャートである。
【図１１】第２の実施形態に係る画像取得処理の流れを示すフローチャートである。
【図１２】第２の実施形態に係る画像データの統合について説明するための図である。
【図１３】第２の実施形態に係る優先順位の付与処理の流れを示すフローチャートである。
【図１４】第３の実施形態に係る画像取得処理の流れを示すフローチャートである。
【図１５】第４の実施形態に係る画像投影処理の流れを示すフローチャートである。
【図１６】第５の実施形態に係る画像投影処理の流れを示すフローチャートである。
【図１７】第６の実施形態に係る画像取得処理の流れを示すフローチャートである。
【発明を実施するための形態】
【０００９】
以下に、本発明の実施の形態について、添付の図面を参照して説明する。
【００１０】
＜システムの構成＞
図１は一実施形態に係る画像処理システムのシステム構成図である。画像処理システム１００は、情報端末１０１、画像形成装置１０２、及び表示装置１０３を含む。情報端末１０１は、例えば、タブレット端末、スマートフォン、ＰＣ（Personal Computer）等の情報処理装置である。画像形成装置１０２は、例えば、印刷、コピー、スキャン、ファクシミリ送信等の複数の機能を有するＭＦＰ（Multifunction Peripheral/Product）や、スキャナ等、表示対象となる画像データを取得（例えば、スキャン、撮像等）するための機器である。表示装置１０３は、例えば、プロジェクタや、液晶ディスプレイ等の表示対象となる画像を表示（投影）するための機器である。
【００１１】
情報端末１０１と画像形成装置１０２は、例えば、ＬＡＮ（Local Area Network）、ＷＡＮ（Wide Area Network）等のネットワーク、ＵＳＢ（Universal Serial Bus）等の有線ケーブル、又は近距離無線通信等の通信手段１０４により、データの送受信が可能である。同様に情報端末１０１と表示装置１０３は、例えば、ＬＡＮやＷＡＮ等のネットワーク、ＵＳＢ等の有線ケーブル、又は近距離無線通信等の通信手段１０５により、データの送受信が可能である。
【００１２】
情報端末１０１の利用者は、情報端末１０１にインストールされたアプリケーションプログラム（以下、アプリと呼ぶ）等を用いて、画像形成装置１０２で表示対象となる画像データを取得し、取得した画像データを表示装置１０３に表示させることができる。
【００１３】
図２は、一実施形態に係る画像処理システムの一例を示す図である。図２において、画像処理システム１００は、例えば、インターネットや、ＬＡＮ等のネットワーク２０５に接続されたＭＦＰ２０１、プロジェクタＡ２０２、プロジェクタＢ２０３、無線ＬＡＮのアクセスポイント２０４等を有する。また、画像処理システム１００は、アクセスポイント２０４を介してネットワーク２０５に接続可能な情報端末１０１を有する。ＭＦＰ２０１は、画像形成装置１０２の一例である。また、プロジェクタＡ２０２及びプロジェクタＢ２０３は、表示装置１０３の一例である。尚、図２は、画像処理システム１００の具体的なシステム構成の一例であり、本発明の範囲を限定するものではない。
【００１４】
図２において、情報端末１０１は、利用者のアプリ操作等により、画像投影用の画像データの取得要求を受付けると、ＭＦＰ２０１を用いて表示対象となる画像データを複数の異なるデータ形式で取得する。例えば、情報端末１０１は、ＭＦＰ２０１にセットされた原稿を、ＭＦＰ２０１でスキャン可能な複数のデータ形式で順次スキャンを要求し、ＭＦＰ２０１がスキャンした複数の画像データを取得する。尚、複数のデータ形式は、例えば、画像フォーマット、解像度、カラー／白黒、色深度、及びデータサイズ等の少なくとも１つが異なる。
【００１５】
また、情報端末１０１は、利用者のアプリ操作等により、取得した画像投影用の画像のプロジェクタＡ２０２への投影の要求を受付けると、取得した複数のデータ形式の画像データの中からプロジェクタＡ２０２に投影させる１つの画像データを決定する。例えば、情報端末１０１は、取得した複数のデータ形式の画像データを、プロジェクタＡ２０２が正常に表示できるまで順次に送信する。情報端末１０１は、例えば、プロジェクタＡ２０２が最初に表示に成功したデータ形式の画像データを、プロジェクタＡ２０２に投影させる１つの画像データとして決定する。
【００１６】
好ましくは、情報端末１０１は、取得した複数のデータ形式の画像データに優先順位を付与し、例えば、画質の良い画像データから順次にプロジェクタＡ２０２に送信する。これにより、情報端末１０１は、より画質の良い画像データを、プロジェクタＡ２０２に投影させることができる。
【００１７】
同様に、情報端末１０１は、利用者のアプリ操作等により、取得した画像投影用の画像のプロジェクタＢ２０３への投影要求を受付けると、取得した複数のデータ形式の画像データからプロジェクタＢ２０３に投影させる１つの画像データを決定する。
【００１８】
上記構成により、情報端末１０１は、ＭＦＰ２０１から取得した複数の異なるデータ形式で取得した画像データを用いて、例えば、機種、機能、世代等が異なる任意のプロジェクタに対して、取得した画像データを表示させることが容易になる。
【００１９】
＜ハードウェア構成＞
（情報端末のハードウェア構成）
図３は、一実施形態に係る情報端末のハードウェア構成例を示す図である。情報端末１０１は、一般的なコンピュータの構成を有しており、例えば、ＣＰＵ（Central Processing Unit）３０１、ＲＡＭ（Random Access Memory）３０２、ＲＯＭ（Read Only Memory）３０３、ストレージ部３０４、外部 Ｉ／Ｆ（Interface）部３０５、ネットワークＩ／Ｆ部３０６、近距離無線通信部３０７、表示入力部３０８、カメラ部３０９、及びバス３１０等を含む。
【００２０】
ＣＰＵ３０１は、ＲＯＭ３０３やストレージ部３０４等に格納されたプログラムやデータ等をＲＡＭ３０２上に読み出し、処理を実行することで、情報端末１０１の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持する不揮発性のメモリであり、例えば、フラッシュＲＯＭ等により構成される。ストレージ部３０４は、例えば、ＨＤＤ（Hard Disk Drive）や、ＳＳＤ（Solid State Drive）等のストレージ装置であり、例えば、ＯＳ（Operation System）、アプリ、及び各種データ等を記憶する。
【００２１】
外部Ｉ／Ｆ部３０５は、情報端末１０１に外部装置を接続するためのインタフェースである。外部装置には、例えば、ＵＳＢメモリ、メモリカード、光学ディスク等の記録媒体や、画像形成装置１０２、表示装置１０３等の電子機器等が含まれる。
【００２２】
ネットワークＩ／Ｆ部３０６は、情報端末１０１をネットワークに接続し、画像形成装置１０２や、表示装置１０３とデータの送受信を行うための、例えば、無線ＬＡＮ等の通信インタフェースである。近距離無線通信部３０７は、例えば、ＮＦＣ（Near Field Communication）、Ｂｌｕｅｔｏｏｔｈ（登録商標） Ｌｏｗ Ｅｎｅｒｇｙ（以下、ＢＬＥと呼ぶ）等の近距離無線通信を行うための通信インタフェースである。
【００２３】
表示入力部３０８は、例えば、タッチパネルとディスプレイが一体化されたタッチパネルディスプレイ等の表示入力装置であり、情報端末１０１の操作を行うための入力部と、情報端末１０１の処理結果等を表示する表示部とを含む。尚、表示入力部３０８は、表示部と入力部とが別々に設けられているものであっても良い。カメラ部３０９は、画像を撮像するための撮像装置である。バス３１０は、上記の各構成要素に共通に接続され、アドレス信号、データ信号、及び各種制御信号等を伝達する。
【００２４】
（画像形成装置のハードウェア構成）
図４は、一実施形態に係る画像形成装置のハードウェア構成例を示す図である。画像形成装置１０２は、コントローラ４０１、画像読取部４０２、プロッタ部４０３、画像処理・エンジン制御部４０４、ＦＡＸ部４０５、ストレージ部４０６、操作部４０７、ＮＦＣ Ｒ／Ｗ（Reader/Writer）部４０８等を有する。
【００２５】
コントローラ４０１は、一般的なコンピュータの構成を有しており、例えば、ＣＰＵ４０９、ＲＡＭ４１０、ＲＯＭ４１１、外部Ｉ／Ｆ部４１２、操作Ｉ／Ｆ部４１３、ＮＦＣ Ｉ／Ｆ部４１４、ネットワークＩ／Ｆ部４１５等が、バス６１６を介して接続されている。
【００２６】
ＣＰＵ４０９は、ＲＯＭ４１１やストレージ部４０６等に格納されたプログラムやデータをＲＡＭ４１０上に読み出し、処理を実行することにより、画像形成装置１０２の各機能を実現する演算装置である。ＲＡＭ４１０は、ＣＰＵ４０９のワークエリア等として用いられる揮発性のメモリである。ＲＯＭ４１１は、電源を切ってもプログラムやデータを保持する不揮発性のメモリであり、例えば、フラッシュＲＯＭ等により構成される。
【００２７】
外部Ｉ／Ｆ部４１２は、外部装置とのインタフェースである。外部装置には、例えば、ＵＳＢメモリ、メモリカード、光学ディスク等の記録媒体や、情報端末１０１等の情報処理装置が含まれる。操作Ｉ／Ｆ部４１３は、操作部４０７をコントローラ４０１に接続するためのインタフェースである。ＮＦＣ Ｉ／Ｆ部２１４は、ＮＦＣ通信により、ＮＦＣ機器に対するデータの読み込み、書き込み等を行うＮＦＣ Ｒ／Ｗ部４０８をコントローラ４０１に接続するためのインタフェースである。尚、ＮＦＣ、近距離無線通信の一例であり、画像形成装置１０２は、ＮＦＣ Ｉ／Ｆ部２１４に代えて、他の近距離無線通信（例えば、ＢＬＥ）を行う近距離無線通信部を有していても良い。
【００２８】
ネットワークＩ／Ｆ部４１５は、画像形成装置１０２をネットワークに接続し、ネットワークに接続された情報端末１０１等とデータの送受信を行うための通信インタフェースである。バス４１６は、アドレス信号、データ信号、及び各種制御信号等を伝達する。
【００２９】
画像読取部４０２は、画像処理・エンジン制御部４０４の制御に従って、原稿等の画像を読取るスキャナエンジン等である。プロッタ部４０３は、画像処理・エンジン制御部４０４の制御に従って、紙等に画像を出力するプリンタエンジン等である。画像処理・エンジン制御部４０４は、画像読取部４０２や、プロッタ部４０３を制御して、画像処理を実行する。
【００３０】
ＦＡＸ部４０５は、ファックスの送受信を行うハードウェアエンジンと、その制御部等を含む。ストレージ部４０６は、例えば、ＨＤＤや、ＳＳＤ等のストレージ装置であり、例えば、ＯＳ、アプリ、画像データ等を含む各種の情報及びデータを記憶する。
【００３１】
操作部４０７は、利用者からの入力操作を受付けるための入力部であると共に、ユーザに向けた表示を行う表示部である。尚、図４の例では、操作部４０７は、ＮＦＣ通信により、ＮＦＣ機器に対するデータの読み込み、書き込み等を行うＮＦＣ Ｒ／Ｗ部４０８を備えている。尚、図２の構成はあくまで一例であって、ＮＦＣ Ｒ／Ｗ部２０８は、操作部とは別に設けられているものであっても良い。
【００３２】
（表示装置のハードウェア構成）
図５は、一実施形態に係る表示装置のハードウェア構成例を示す図である。表示装置１０３は、一般的なコンピュータの構成を含み、例えば、ＣＰＵ５０１、ＲＡＭ５０２、ＲＯＭ５０３、ストレージ部５０４、外部Ｉ／Ｆ部５０５、ネットワークＩ／Ｆ部５０６、操作部５０７、表示装置５０８、及びバス５０９等を含む。尚、ＣＰＵ５０１、ＲＡＭ５０２、ＲＯＭ５０３、ストレージ部５０４、外部Ｉ／Ｆ部５０５、ネットワークＩ／Ｆ部５０６、及びバス５０９の構成は、図２の情報端末１０１と同様なので、ここでは差分を中心に説明を行う。
【００３３】
操作部５０７は、表示装置１０３への操作を受付ける、例えば、操作ボタンや、操作パネル等の入力装置である。
【００３４】
表示装置５０８は、画像を表示させるためのハードウェアであり、例えば、表示装置１０３がプロジェクタの場合、画像を投影面に投影させるための光源、表示素子、投影レンズ等を含む。
【００３５】
＜機能構成＞
図６は、一実施形態に係る画像処理システムの機能構成図である。
【００３６】
（情報端末の機能構成）
情報端末１０１は、通信部６０１、全体制御部６０２、情報取得部６０３、画面表示部６０４等を有する。
【００３７】
通信部６０１は、画像形成装置１０２、又は表示装置１０３と通信を行うための手段であり、例えば、図３のネットワークＩ／Ｆ部３０６等によって実現される。情報端末１０１は、通信部６０１を介して、画像データの送受信、要求情報の送信、エラー情報の受信等を行うことができる。
【００３８】
全体制御部６０２は、情報端末１０１の通信部６０１、情報取得部６０３、画面表示部６０４を含む全体の制御を行う手段であり、例えば、図３のＣＰＵ３０１で動作するプログラム等によって実現される。
【００３９】
図７は、一実施形態に係る情報端末の全体制御部の機能構成図である。全体制御部６０２は、画像解析手段７０１、取得制御手段７０２、優先順位付与手段７０３、画像データ統合手段７０４、画像生成手段７０５、表示制御手段７０６、決定手段７０７、及び記憶手段７０８等を有する。
【００４０】
画像解析手段７０１は、取得制御手段７０２が取得した画像データを解析して、画像データの画像情報を取得する手段である。例えば、画像解析手段７０１は、画像データのＯＣＲ（Optical Character recognition）解析を行い、画像データに含まれる文字の大きさに係る情報解析をする。尚、文字の大きさに係る情報は、例えば、画像データに含まれる文字サイズや、文字の数等の情報である。情報端末１０１は、画像データに含まれる文字の数が所定の数よりも多い場合、文字１つ当たりの占める面積が少ない、すなわち小さい文字が含まれると判断することができる。また、画像解析手段７０１は、画像データのサイズや、解像度等の画像情報も取得することもできる。
【００４１】
取得制御手段７０２は、画像取得手段（例えば、画像形成装置１０２）を用いて、表示対象となる画像データを複数の異なるデータ形式で取得する制御を行う。例えば、取得制御手段７０２は、画像形成装置１０２にセットされた原稿を、画像形成装置１０２でスキャン可能な複数の異なるデータ形式で順次スキャンを要求し、画像形成装置１０２がスキャンした複数の異なるデータ形式の画像データを取得する。
【００４２】
優先順位付与手段７０３は、取得制御手段７０２が取得した複数の異なるデータ形式の画像データの各々に優先順位を付与する。例えば、優先順位付与手段７０３は、記憶手段７０８に記憶された優先順位情報７１０に含まれる、画像データの画像フォーマット情報、解像度情報、カラー／白黒情報、色深度情報、データサイズ情報のうちの少なくとも１つに基づいて、優先順位を付与する。
【００４３】
画像データ統合手段７０４は、取得制御手段７０２が取得した複数の異なるデータ形式の画像データを１つのファイルに統合する。或いは、画像データ統合手段７０４は、取得制御手段７０２が取得し、優先順位付与手段７０３が優先順位を付与した複数の異なるデータ形式の画像データを１つのファイルに統合する。
【００４４】
画像生成手段７０５は、取得制御手段７０２が取得した複数の異なるデータ形式の画像データの中に、表示装置１０３が表示可能なデータ形式の画像データがない場合、表示装置１０３が表示可能画像データを生成する。例えば、画像生成手段７０５は、取得制御手段７０２が取得した複数の異なるデータ形式の画像データの、画像フォーマット、解像度、色深度等を変換して、表示装置１０３が表示可能な画像データを生成する。或いは、画像生成手段７０５は、取得制御手段７０２が取得した複数の異なるデータ形式の画像データを用いて、画像の拡大、縮小、スムージング等の画像処理を行い、表示装置１０３に適した画像データを生成する。
【００４５】
表示制御手段７０６は、表示装置１０３に画像データを表示させる制御を行う。例えば、表示制御手段７０６は、表示対象となる画像データを含む表示要求情報を表示装置１０３に送信して、表示装置１０３に画像データの表示を要求する。或いは、表示制御手段７０６に表示対象となる画像データを送信することにより、表示装置１０３に画像データの表示を要求するもの等であっても良い。
【００４６】
決定手段７０７は、表示装置（表示手段）１０３に応じて、取得制御手段７０２が取得した複数の異なるデータ形式の画像データの中から表示装置１０３に表示させる一の画像データを決定する。例えば、決定手段７０７は、取得制御手段７０２が取得した複数の異なるデータ形式の画像データを、表示装置１０３が表示可能となるまで順次に送信し、表示装置１０３が表示可能となった画像データを表示装置１０３に表示させる一の画像データとして決定する。或いは、決定手段７０７は、表示装置１０３が表示可能なデータ形式の情報に基づいて、取得制御手段７０２が取得した複数の異なるデータ形式の画像データの中から表示装置１０３に表示させる一の画像データを決定するもの等であっても良い。
【００４７】
記憶手段７０８は、例えば、取得制御手段７０２が取得した画像データ７０９や、優先順位付与手段７０３が優先順位の決定に用いる優先順位情報７１０等を含む、各種の情報やデータ等を記憶する手段である。記憶手段７０８は、例えば、図３のストレージ部３０４等によって実現される。
【００４８】
ここで、図６に戻って、情報端末１０１の機能構成の説明を続ける。
【００４９】
情報端末１０１の情報取得部（情報取得手段）６０３は、画像形成装置１０２や、表示装置１０３から情報を取得する手段であり、例えば、図３のＣＰＵ３０１で動作するプログラム等によって実現される。例えば、情報取得部６０３は、画像形成装置１０２から、画像形成装置１０２がスキャン可能なデータ形式、スキャナの機能、設定値等を含む機器情報を取得する。また、情報取得部６０３は、表示装置１０３から、表示装置１０３が表示可能な画像フォーマット、解像度、色深度、データサイズ等を含む機器情報を取得する。
【００５０】
画面表示部６０４は、利用者の入力を受付け、画面を表示するユーザインタフェースであり、例えば、図３の表示入力部３０８、及びＣＰＵ３０１で動作するプログラム等によって実現される。利用者は、画面表示部６０４により、画像形成装置１０２へのスキャン指示、表示装置１０３への表示指示等を行うことができる。
【００５１】
（画像形成装置の機能構成）
画像形成装置１０２は、通信部６０５、全体制御部６０６、情報記憶部６０７、スキャン部６０８等を有する。
【００５２】
通信部６０５は、情報端末１０１等と通信を行うための手段であり、例えば、図４のネットワークＩ／Ｆ部４１５等によって実現される。画像形成装置１０２は、通信部６０５を介して、要求情報の受信や、画像データ、機器情報等の送信を行うことができる。
【００５３】
全体制御部６０６は、通信部６０５、情報記憶部６０７、スキャン部６０８を含む画像形成装置１０２の全体の制御を行う手段であり、例えば、図４のＣＰＵ４０９で動作するプログラムによって実現される。
【００５４】
情報記憶部６０７は、情報端末１０１から要求可能なスキャン機能、設定等を含む機器情報を記憶する手段であり、例えば、図４のストレージ部４０６、ＲＯＭ４１１等によって実現される。
【００５５】
スキャン部６０８は、画像形成装置１０２の原稿読取部や、ＡＤＦ（Auto Document Feeder）等にセットされた原稿の読取り（スキャン）、画像変換、情報端末１０１への送信等を行う。スキャン部６０８は、例えば、図４の画像読取部４０２、画像処理・エンジン制御部４０４、及びＣＰＵ４０９で動作するプログラム等によって実現される。
【００５６】
上記の構成により、画像形成装置１０２は、情報端末１０１から画像を生成する処理の要求を受付けた場合、受付けた要求が表示装置１０３（情報端末１０１とは異なる装置の一例）に送信するための画像の要求であるか否かを判断する。また、画像形成装置１０２は、受付けた要求が、表示装置１０３に送信するための画像の要求であると判断した場合には、複数のデータ形式の画像を形成して、形成された複数のデータ形式の画像を、情報端末１０１に送信する。
【００５７】
（表示装置）
表示装置１０３は、通信部６１０、全体制御部６１１、及び表示部６１２等を有する。
【００５８】
通信部６１０は、情報端末１０１等と通信を行うための手段であり、例えば、図５のネットワークＩ／Ｆ部５０６等によって実現される。表示装置１０３は、通信部６１０を介して、要求情報や、画像データの受信、及びエラー情報の送信等を行うことができる。
【００５９】
全体制御部６１１は、通信部６１０、及び表示部６１２を含む表示装置１０３の全体の制御を行う手段であり、例えば、図５のＣＰＵ５０１で動作するプログラム等によって実現される。
【００６０】
表示部６１２は、情報端末１０１等から送信された画像データに基づいて画像を表示（投影）する表示手段であり、例えば、図５の表示装置５０８等により実現される。
【００６１】
＜処理の流れ＞
［第１の実施形態］
（画像取得処理の流れ）
図８は、第１の実施形態に係る画像取得処理の流れを示すフローチャートである。尚、ここでは、画像形成装置１０２がＭＦＰであり、表示装置１０３がプロジェクタであるものとして説明を行うが、本発明の範囲を限定するものではない。
【００６２】
例えば、情報端末１０１で所定のアプリを起動させること等により処理が開始されると、情報端末１０１の情報取得部６０３は、ＭＦＰから取得可能なデータ形式の情報を取得する（ステップＳ８０１）。
【００６３】
情報端末１０１は、画面表示部６０４に表示したユーザインタフェースを用いて、利用者からスキャン指示（要求）を受付けると（ステップＳ８０２）、スキャン指示がプロジェクタ投影用のスキャン指示であるか否かを判断する（ステップＳ８０３）。例えば、画面表示部６０４に表示したユーザインタフェースは、通常のスキャン指示を受付ける手段（操作ボタン等）と、プロジェクタ投影用のスキャン指示を受付ける手段とを有する。
【００６４】
図９は、第１の実施形態に係るスキャン画面の例を示す図である。情報端末１０１は画面表示部６０４に、例えば、図９に示すスキャン画面９００を表示させて、利用者からのスキャン指示を受付ける。図９の例では、スキャン画面９００は、画像フォーマットの設定欄９０１、カラーの設定欄９０２、圧縮の設定欄９０３、解像度の設定欄９０４等の設定欄等を含む。利用者は、これらの設定欄により設定を行い、「上記設定でスキャンを実行」ボタン９０５を押下（又はタッチ）することにより、ＭＦＰによる通常のスキャンを指示することができる。
【００６５】
また、利用者は、「画像投影用のスキャンを実行」ボタン９０６を押下（又はタッチ）することにより、ＭＦＰによるプロジェクタ投影用の投影画像のスキャンを指示することができる。
【００６６】
図８に戻って、フローチャートの説明を続ける。
【００６７】
情報端末１０１は、ステップＳ８０２において、例えば、図９の「画像投影用のスキャンを実行」ボタン９０６が押下された場合、プロジェクタ投影用の投影画像のスキャン指示であると判断し、処理をステップＳ８０４に移行させる。一方、情報端末１０１は、ステップＳ８０２において、図９の「上記設定でスキャンを実行」ボタン９０５が押下された場合、プロジェクタ投影用のスキャン指示ではないと判断し、処理をステップＳ８０９に移行させる。
【００６８】
ステップＳ８０４に移行すると、情報端末１０１の取得制御手段７０２は、ＭＦＰが取得可能な複数の異なるデータ形式の各々に対して、ステップＳ８０５〜ステップＳ８０７の処理を実行し、画像データを取得する。
【００６９】
ステップＳ８０５において、取得制御手段７０２は、取得するデータ形式に対応するスキャン条件を設定する。ステップＳ８０６において、取得制御手段７０２は、ＭＦＰにスキャン指示を送信してスキャンを要求する。ステップＳ８０７において、取得制御手段７０２は、ＭＦＰから画像データを受信し、受信した画像データを、例えば、記憶手段７０８に取得した画像データ７０９として記憶する。
【００７０】
情報端末１０１は、ＭＦＰが取得可能な複数の異なるデータ形式の各々に対して、ステップＳ８０５〜ステップＳ８０７の処理が実行されると、処理を終了する（ステップＳ８０８）。
【００７１】
一方、ステップＳ８０９に移行すると、取得制御手段７０２は、通常のスキャン制御を行う。情報端末１０１の取得制御手段７０２は、例えば、図９の設定欄に設定されたスキャン条件を設定したスキャン指示をＭＦＰに送信し、スキャンを要求する（ステップＳ８１０）。また、取得制御手段７０２は、ＭＦＰから画像データを受信し、受信した画像データを、例えば、記憶手段７０８に取得した画像データ７０９として記憶する（ステップＳ８１１）。
【００７２】
上記処理により、情報端末１０１は、利用者からプロジェクタ投影用の画像データの取得要求を受付けると、表示対象となる画像データを複数の異なるデータ形式で取得する。
【００７３】
（画像投影処理の流れ）
図１０は、第１の実施形態に係る画像投影処理の流れを示すフローチャートである。情報端末１０１は、例えば、図８の画像取得処理によって取得した画像データの投影指示を受付けると（ステップＳ１００１）、投影を指示された画像データがプロジェクタ投影用の画像データであるか否かを判断する（Ｓ１００２）。尚、プロジェクタ投影用の画像データは、例えば、図８のステップＳ８０４〜Ｓ８０８で取得された、複数の異なるデータ形式の画像データである。
【００７４】
ステップＳ１００２において、投影を指示された画像データがプロジェクタ投影用の画像データではない場合、情報端末１０１の表示制御手段７０６は、プロジェクタに画像データを送信する通常の投影処理を行い（ステップＳ１００７）、処理を終了する。
【００７５】
一方、ステップＳ１００２において、投影を指示された画像データがプロジェクタ投影用の画像データである場合、情報端末１０１は、処理をステップＳ１００３に移行させる。
【００７６】
ステップＳ１００３に移行すると、情報端末１０１の決定手段７０７は、表示制御手段７０６を用いて、投影を指示された画像データの複数のデータ形式の各々に対して、ステップＳ１００４、Ｓ１００５の処理を順次に実行する。
【００７７】
ステップＳ１００４において、決定手段７０７は、複数のデータ形式のうち、１つのデータ形式の画像データをプロジェクタに送信する。また、決定手段７０は、ステップＳ１００５において、例えば、所定の時間内にプロジェクタからエラーが返ってきたか否かを、判断する。尚、プロジェクタは、表示できないデータ形式の画像ファイルを受信すると、情報端末１０１にエラーを送信し、表示可能なデータ形式のファイルを受信すると、情報端末１０１にエラーを送信せずに受信した画像データを表示するものとする。
【００７８】
ステップＳ１００５において、表示装置１０３からエラーを受信すると、決定手段７０７は、次のデータ形式の画像データを用いて、ステップＳ１００４、Ｓ１００５の処理を実行する。一方、ステップＳ１００５において、例えば、所定の時間内に表示装置１０３からエラーを受信しなかった場合、決定手段７０７は、送信した画像データを、表示装置１０３に表示させる一の画像データとして決定し、処理を終了する。
【００７９】
上記処理により、情報端末１０１は、利用者からプロジェクタ投影用の画像データの投影要求を受付けると、複数の異なるデータ形式で取得された画像データの各々をプロジェクタが投影（表示）可能となるまで、順次にプロジェクタに送信する。これにより、情報端末１０１は、ＭＦＰから取得した複数の異なるデータ形式の画像データの中から、プロジェクタが投影可能な一の画像データを決定することができる。このとき、プロジェクタには、決定された一の画像データが表示される。
【００８０】
［第２の実施形態］
第２の実施形態では、情報端末１０１がＭＦＰから取得した複数の異なるデータ形式の画像データを１つのファイルに統合する場合について説明する。
【００８１】
図１１は、第２の実施形態に係る画像取得処理の流れを示すフローチャートである。図１１のステップＳ８０１〜Ｓ８１１の処理は、図８で説明した第１の実施形態に係る画像取得処理と同様なので、ここでは差分を中心に説明を行う。
【００８２】
第１の実施形態では、ステップＳ８０４〜Ｓ８０８において、複数の異なるデータ形式で取得した画像データを、記憶手段７０８に記憶して処理を終了していたが、本実施形態では、ステップＳ１１０１において、取得した画像データを１つのファイルに統合する。例えば、情報端末１０１の画像データ統合手段７０４は、取得制御手段７０２が複数の異なるデータ形式で取得した画像データを１つのファイルに統合する。
【００８３】
図１２は、第２の実施形態に係る画像データの統合について説明するための図である。例えば、説明を簡単にするため、複数の異なるデータ形式が、ＪＰＥＧ形式と、ＴＩＦＦ形式の２つの画像フォーマットの画像データであるものとする。この場合、取得制御手段７０２は、図１２に示すように、複数の異なるデータ形式の画像データとして、ＴＩＦＦファイル（ABC.tiff）１２０１と、ＪＰＥＧファイル（ABC.jpg）１２０２の２つの画像データを取得する。画像データ統合手段７０４は、この取得された２つの画像データを１つの統合ファイル（ABC.proj）１２０３に統合する。
【００８４】
尚、統合ファイル１２０３の形式は、統合された複数の画像データを選択的に取り出せるものであれば任意のファイル形式で良い。例えば、統合ファイル１２０３のファイル形式は、一般的なＺＩＰ形式のファイル等であっても良いし、独自のファイル形式のファイル等であっても良い。
【００８５】
好ましくは、情報端末１０１は、統合ファイル１２０３に統合する複数の異なるデータ形式の画像データの各々に優先順位を付与する。
【００８６】
図１３は、第２の実施形態に係る優先順位の付与処理の一例を示すフローチャートである。
【００８７】
情報端末１０１は、優先順位の付与処理を開始すると、ステップＳ１３０１において、例えば、画像解析手段７０１により、複数の異なるデータの各々から特徴点を抽出する。特徴点は、画像データの特徴となる情報であり、例えば、画像データの画像フォーマット、解像度、カラー／白黒、色深度、データサイズ等の情報である。ここでは、特徴点が、画像フォーマット（ＴＩＦＦ、ＪＰＥＧ等）、解像度、色深度、データサイズの４つであるものとして説明を行うが、これはあくまで一例であり、本発明の範囲を限定するものではない。
【００８８】
ステップＳ１３０２において、情報端末１０１の優先順位付与手段７０３は、画像フォーマットに基づいて、複数の異なるデータ形式の画像データの優先順位を決定する。例えば、情報端末１０１の記憶手段７０８に記憶された優先順位情報７１０には、画像フォーマットの優先順位を決定するための情報、「ＴＩＦＦ＞ＧＩＦ＞ＪＰＥＧ」等の情報が記憶されているものとする。この例では、ＴＩＦＦ、ＧＩＦ、ＪＰＥＧの順に優先順位が高いことを示している。
【００８９】
ステップＳ１３０３において、優先順位の重複がない場合、情報端末１０１は、優先順位の付与処理を終了する。一方、ステップＳ１３０３において、優先順位の重複がある場合、例えば、複数の異なるデータ形式の画像データの中に、同じ画像フォーマットの画像データが含まれる場合等には、ステップＳ１３０４に処理を移行する。
【００９０】
ステップＳ１３０４において、情報端末１０１の優先順位付与手段７０３は、画像データの解像度の情報に基づいて、複数の異なるデータ形式の画像データの優先順位を決定する。例えば、情報端末１０１の記憶手段７０８に記憶された優先順位情報７１０には、解像度の優先順位を決定するための情報、「６００ｄｐｉ＞３００ｄｐｉ＞１５０ｄｐｉ」等の情報が記憶されているものとする。この例では、６００ｄｐｉ、３００ｄｐｉ、１５０ｄｐｉの順に優先順位が高いことを示している。
【００９１】
ステップＳ１３０５において、優先順位の重複がない場合、情報端末１０１は、優先順位の付与処理を終了する。一方、ステップＳ１３０５において、優先順位の重複がある場合、ステップＳ１３０６に処理を移行する。
【００９２】
ステップＳ１３０６において、情報端末１０１の優先順位付与手段７０３は、画像データの色深度の情報に基づいて、複数の異なるデータ形式の画像データの優先順位を決定する。例えば、情報端末１０１の記憶手段７０８に記憶された優先順位情報７１０には、色深度の優先順位を決定するための情報、「３２ｂｉｔ＞１６ｂｉｔ＞８ｂｉｔ」等の情報が記憶されているものとする。この例では、３２ｂｉｔ、１６ｂｉｔ、８ｂｉｔの順に優先順位が高いことを示している。また、色深度に代えて（又は加えて）、カラー／白黒等の情報に基づいて優先順位を決定するものであっても良い。
【００９３】
ステップＳ１３０７において、優先順位の重複がない場合、情報端末１０１は、優先順位の付与処理を終了する。一方、ステップＳ１３０７において、優先順位の重複がある場合、ステップＳ１３０８に処理を移行する。
【００９４】
ステップＳ１３０８において、情報端末１０１の優先順位付与手段７０３は、画像データのデータサイズの情報に基づいて、複数の異なるデータ形式の画像データの優先順位を決定する。例えば、情報端末１０１の記憶手段７０８に記憶された優先順位情報７１０には、データサイズの優先順位を決定するための情報、「データサイズ小＞データサイズ大」等の情報が記憶されているものとする。この例では、データサイズが小さい方が、優先順位が高いことを示している。
【００９５】
尚、図１３の処理はあくまで一例であり、本発明の範囲を限定するものではない。優先順位の付与は、任意の特徴点を用いて、図１３とは異なる手順で付与されるもの等であっても良い。
【００９６】
以上、本実施形態によれば、情報端末１０１は、ＭＦＰから取得した複数の異なるデータ形式の画像データを１つのファイルに統合するので、複数の異なるデータ形式の画像データの管理が容易となる。
【００９７】
例えば、図２において、プロジェクタＡ２０２と、プロジェクタＢ２０３のメーカ、機種等が異なり、投影可能な画像フォーマットや解像度等が異なるものとする。このような場合でも、情報端末１０１は、統合された１つのファイルを用いて、プロジェクタＡ２０２、プロジェクタ２０３のいずれにも投影対象となる画像を投影させることができる。
【００９８】
好ましくは、情報端末１０１は、複数の異なるデータ形式の画像データの各々に優先順位を付与する。例えば、画像処理システム１００は、複数の異なるデータ形式の画像データに、画質の良い順番に優先順位を付与し、付与された優先順位が高い画像データから順次にプロジェクタに送信することにより、より良い画像データの投影を行うことができるようになる。
【００９９】
［第３の実施形態］
第３の実施例では、ＭＦＰが画像データを取得する原稿に含まれる文字の数を判断し、処理を分岐させる場合の例について説明する。
【０１００】
例えば、ＭＦＰが画像データを取得する原稿に小さな文字が多く含まれている場合、ＪＰＥＧ等の非可逆圧縮や、低い解像度で画像の取得を行ってしまうと、文字の輪郭が潰れて画像投影時に見づらくなるという問題がある。そこで、本実施形態では、原稿に含まれる文字の大きさに係る情報（文字の大きさ、文字の数等の情報）を解析し、原稿に含まれる文字の大きさや、数等に応じて、複数の異なるデータ形式による画像データの取得を行う。
【０１０１】
図１４は、第３の実施形態に係る画像取得処理の流れを示すフローチャートである。尚、図１４のステップＳ８０１〜Ｓ８１１の処理は、図８で説明した第１の実施形態に係る画像取得処理の流れと同様なので、ここでは差分（ステップＳ１４０１〜Ｓ１４０６）を中心に説明を行う。
【０１０２】
本実施形態では、ステップＳ８０３において、スキャン指示を受けた画像データがプロジェクタ投影用の画像データである場合、情報端末１０１は、ステップＳ１４０１において、ＭＦＰが画像劣化の少ない画像フォーマットに対応しているか否かを判断する。尚、画像劣化の少ない画像フォーマットとは、非圧縮の画像フォーマットや、圧縮前の画像データと展開後の画像データとが一致する可逆圧縮方式等の画像フォーマットである。
【０１０３】
ステップＳ１４０２において、ＭＦＰが画像劣化の少ない画像フォーマットに対応していると判断された場合、ステップＳ１４０２に処理を移行させる。
【０１０４】
ステップＳ１４０２に移行すると、取得制御手段７０２は、画像劣化の少ないフォーマット（例えば、非圧縮のＴＩＦＦフォーマット等）でスキャン条件の設定を行う。続いて、ＭＦＰにスキャン指示を送信してスキャンを要求し（ステップＳ１４０３）、ＭＦＰからスキャンされた画像データを受信する（ステップＳ１４０４）。
【０１０５】
情報端末１０１の画像解析手段７０１は、ＭＦＰから受信した画像データのＯＣＲ処理を実行し、例えば、画像データに含まれる文字の数を解析する（ステップＳ１４０５）。また、情報端末１０１の取得制御手段７０２は、例えば、画像データに含まれる文字の数が、予め定められたしきい値よりも多いか否かを判断する（ステップＳ１４０６）。
【０１０６】
ステップＳ１４０６において、画像データに含まれる文字の数が予め定められたしきい値未満の場合、ステップＳ８０４に移行し、複数の異なるデータ形式で画像データを取得する。一方、ステップＳ１４０６において、画像データに含まれる文字の数が、予め定められたしきい値よりも多い場合、処理を終了し、ステップＳ１４０４で受信した画像データを、投影用の画像データとして用いる。
【０１０７】
尚、ステップＳ１４０５、Ｓ１４０６において、文字の数に代えて、文字の大きさを解析し、画像データが、予め定められた文字の大きさよりも小さい文字を含む場合、複数の異なるデータ形式で画像データを取得せずに、処理を終了するもの等であっても良い。
【０１０８】
上記処理により、表示対象となる画像の文字が多い、或いは小さい文字が含まれる場合、画像劣化の少ないフォーマットで画像データを取得し、複数の異なるデータ形式で画像データの取得を中止する。これにより、文字が潰れて見難い画像データの蓄積を抑制し、情報端末１０１の記憶容量を有効に利用することができるようになる。
【０１０９】
［第４の実施形態］
本実施形態では、例えば、図１０で説明した第１の実施形態の画像投影処理において、複数の異なるデータ形式の画像データのいずれも、プロジェクタで投影できない場合の処理について説明する。
【０１１０】
図１５は、第４の実施形態に係る画像投影処理の流れを示すフローチャートである。尚、図１５のステップＳ１１０１〜Ｓ１００７の処理は、図１０で説明した第１の実施形態の画像投影処理と同様なので、ここでは差分を中心に説明を行う。
【０１１１】
図１５のステップＳ１００３〜Ｓ１００６において、投影対象となる画像データの複数の異なるデータ形式の全てにエラーが反ってきた場合、ステップＳ１５０１に処理を移行させる。
【０１１２】
ステップＳ１５０１に移行すると、画像生成手段７０５が変換可能なデータ形式の各々について、ステップＳ１５０２〜１５０４の処理を、プロジェクタが画像データを投影可能になるまで、かつ変換可能なデータ形式がなくなるまで繰り返す。
【０１１３】
例えば、ステップＳ１５０２において、情報端末１０１の画像生成手段７０５は、投影対象となる複数の異なるデータ形式の画像データの１つ、例えば、最も画質の良いデータ形式の画像を、変換可能な他のデータ形式の１つに変換する。また、表示制御手段７０６は、データ形式が変換された画像データをプロジェクタに送信する（ステップＳ１５０３）。
【０１１４】
ステップＳ１５０４において、所定の時間内にエラーが反って来なかった場合、情報端末１０１は、プロジェクタが正しく画像データを表示できたものと判断し、処理を終了する。一方、ステップＳ１５０４において、所定の時間内にエラーが反って来た場合、ステップＳ１５０２に戻って、投影対象となる複数の異なるデータ形式の画像データの１つを、別の変換可能な他のデータ形式の１つに変換し、同様の処理を繰り返す。
【０１１５】
［第５の実施形態］
図１０の第１の実施形態に係る画像投影処理、及び図１５の第４の実施形態に係る画像投影処理では、プロジェクタで投影可能なデータ形式が不明であるものとして説明を行った。本実施形態では、情報端末１０１が、プロジェクタからプロジェクタが投影可能なデータ形式の情報を取得可能な場合の例について説明する。
【０１１６】
図１６は、第５の実施形態に係る画像投影処理の流れを示す図である。尚、図１６のステップＳ１００１、Ｓ１００２、及びＳ１００７の処理は、図１０で説明した第１の実施形態に係る画像投影処理と同様なので、ここでは差分を中心に説明を行う。
【０１１７】
本実施形態では、図１６のステップＳ１００２において、投影を指示された画像データがプロジェクタ投影用の画像データである場合、情報端末１０１は、処理をステップＳ１６０１に移行させる。
【０１１８】
ステップＳ１６０１に移行すると、情報端末１０１の情報取得部（情報取得手段）６０３は、プロジェクタから投影可能なデータ形式の情報を取得する。また、情報端末１０１の決定手段７０７は、情報取得部６０３が取得したデータ形式の情報に基づいて、投影を指示された画像データの複数の異なるデータ形式の画像データのうち、プロジェクタに投影可能なデータ形式の画像データを選択する（ステップＳ１６０２）。
【０１１９】
ステップＳ１６０３では、ステップＳ１６０２において、複数の異なるデータ形式の画像データの中に、プロジェクタが投影可能なデータ形式の画像データがあるか否かに応じて、処理を分岐する。
【０１２０】
ステップＳ１６０２において、プロジェクタが投影可能なデータ形式の画像データがある場合、ステップＳ１００７において、情報端末１０１は、プロジェクタが投影可能なデータ形式の画像をプロジェクタに送信し、処理を終了する。
【０１２１】
一方、ステップＳ１６０２において、複数の異なるデータ形式の画像データの中に、プロジェクタが投影可能なデータ形式の画像データがない場合、情報端末１０１の画像生成手段７０５は、プロジェクタが投影可能なデータ形式の画像データを生成する。
【０１２２】
例えば、画像生成手段７０５は、取得制御手段７０２が取得した複数の異なるデータ形式の画像データのうち、１つの画像データを用いて、画像フォーマット、解像度、色深度等を、プロジェクタが表示可能なデータ形式に変換する。或いは、画像生成手段７０５は、取得制御手段７０２が取得した複数の異なるデータ形式の画像データのうち、１つの画像データを用いて、画像の拡大、縮小、スムージング等の画像処理を行い、プロジェクタが表示可能な画像データを生成する。また、ステップＳ１００７において、情報端末１０１は、画像生成手段７０５が生成した画像データをプロジェクタに送信し、処理を終了する。
【０１２３】
上記処理により、情報端末１０１がプロジェクタから投影可能なデータ形式の情報を取得できる場合、図１０、図１５等で説明した画像投影処理をより効率よく実行することが可能となる。
【０１２４】
［第６の実施形態］
本実施形態では、情報端末１０１の画像データの記憶領域を節約する「省メモリ」モードの動作について説明する。
【０１２５】
図１７は、第６の実施形態に係る画像取得処理の流れを示すフローチャートである。尚、図１７のステップＳ８０１、Ｓ８０２、及びＳ８０９〜Ｓ８１１の処理は、図８で説明した第１の実施形態に係る画像取得処理と同様なので、ここでは差分を中心に説明を行う。
【０１２６】
図１７において、処理を開始する前に、情報端末１０１のアプリは、「省メモリ」モードに設定されているものとする。「省メモリ」モードでは、情報端末１０１のアプリは、画像データを記憶する記憶領域を節約して処理を行う。
【０１２７】
「省メモリ」モードに設定された情報端末１０１は、図１７のステップＳ８０２で、スキャン指示を受付けると、ステップＳ１７０１において、プロジェクタ投影用のスキャン指示であるかどうかを判断する。ステップＳ１７０１において、プロジェクタ投影用のスキャン指示である場合、情報端末１０１は、処理をステップＳ１７０２に移行させる。
【０１２８】
ステップＳ１７０２に移行すると、情報端末１０１の取得制御手段７０２は、スキャン条件を画像劣化の少ない画像フォーマット（例えば、非圧縮のＴＩＦＦフォーマット等）に設定し、ＭＦＰへスキャン指示を送信し、スキャンを要求する（ステップＳ１７０３）。また、情報端末１０１の取得制御手段７０２は、ステップＳ１７０４において、ＭＦＰから画像データを受信して、受信したデータを記憶手段７０８に記憶し、処理を終了する。
【０１２９】
第１〜第５の実施形態では、情報端末１０１は、ＭＦＰから複数の異なるデータ形式の画像を取得していたが、本実施形態では、画像データの記憶容量を節約するため、画像劣化の少ないデータ形式で画像データを取得する。また、本実施形態では、情報端末１０１は、取得した１つの画像データに基づいて、画像投影時に複数の異なるデータ形式の画像を生成することにより、情報端末１０１の画像データの記憶領域を節約することができる。
【０１３０】
尚、上記の第１〜第６の実施形態の構成は一例であり、本発明の範囲を限定するものではない。
【０１３１】
例えば、情報端末１０１が、表示対象となる画像データを複数の異なるデータ形式で取得する際に用いる画像取得手段は、図１の画像形成装置１０２に代えて、情報端末１０１が有する撮像手段（例えば、図３のカメラ部３０９）等であっても良い。
【０１３２】
また、情報端末１０１が、表示対象の画像を表示させる表示装置１０３は、例えば、図２のプロジェクタＡ２０２及びプロジェクタＢ２０３等、複数の異なるプロジェクタ（表示装置）であっても良い。この場合、情報端末１０１は、例えば、第２の実施形態で取得した１つの統合ファイルを用いて、表示可能な解像度や、画像フォーマット等が異なる複数のプロジェクタに、容易に表示対象の画像を投影させることができる。
【０１３３】
さらに、図７の画像解析手段７０１、取得制御手段７０２、優先順位付与手段７０３、画像データ統合手段７０４、及び記憶手段７０８のうちの少なくとも１つは、画像形成装置１０２や、ネットワークを介して接続されたサーバ装置等が有していても良い。同様に、画像生成手段７０５、表示制御手段７０６、及び決定手段７０７のうちの少なくとも１つは、表示装置１０３や、ネットワークを介して接続されたサーバ装置等が有していても良い。
【０１３４】
さらにまた、表示装置１０３は、プロジェクタの他、電子黒板等であっても良い。
【０１３５】
例えば、このように、本実施形態に係る画像処理システム１００は、様々なシステム構成が可能である。
【０１３６】
＜まとめ＞
本実施形態に係る情報処理装置（１０１）は、画像データを取得する画像取得手段（１０２）により、表示対象となる画像データを複数の異なるデータ形式で取得する取得制御手段（７０２）を有する。また、情報処理装置（１０１）は、画像を表示させる表示手段（１０３）に応じて、前記取得した複数の異なるデータ形式の画像データの中から前記表示手段（１０３）に表示させる一の画像データを決定する決定手段（７０７）を有する。
【０１３７】
上記構成により、本実施形態に係る情報処理装置は、画像形成装置（画像取得手段）から表示対象となる画像を取得し、取得した画像を任意の表示装置（表示手段）に表示させることを容易にすることができる。
【０１３８】
尚、上記括弧内の参照符号は、理解を容易にするために付したものであり、一例に過ぎず、本発明の範囲を限定するものではない。
【符号の説明】
【０１３９】
１００    画像処理システム
１０１    情報端末（情報処理装置）
１０２    画像形成装置
１０３    表示装置（画像投影装置）
２０１    ＭＦＰ（画像取得手段の一例）
２０２    プロジェクタＡ（表示手段の一例）
２０３    プロジェクタＢ（表示手段の一例）
６０３    情報取得部（情報取得手段）
６０４    画面表示部
７０１    画像解析手段
７０２    取得制御手段
７０３    優先順位付与手段
７０４    画像データ統合手段（統合手段）
７０５    画像生成手段（生成手段）
７０６    表示制御手段
７０７    決定手段
９０６    「画像投影用のスキャンを実行」ボタン（受付手段）
【先行技術文献】
【特許文献】
【０１４０】
【特許文献１】特開２００９−２２５２２４号公報
【図１】
2016174198.tif 000003
【図２】
2016174198.tif 000004
【図３】
2016174198.tif 000005
【図４】
2016174198.tif 000006
【図５】
2016174198.tif 000007
【図６】
2016174198.tif 000008
【図７】
2016174198.tif 000009
【図８】
2016174198.tif 000010
【図９】
2016174198.tif 000011
【図１０】
2016174198.tif 000012
【図１１】
2016174198.tif 000013
【図１２】
2016174198.tif 000014
【図１３】
2016174198.tif 000015
【図１４】
2016174198.tif 000016
【図１５】
2016174198.tif 000017
【図１６】
2016174198.tif 000018
【図１７】
2016174198.tif 000019